【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
車両の状態を含む車両データ（３００）を取得する状態取得設定部（２００）と、
前記状態取得設定部（２００）により取得された前記車両データ（３００）及びユーザによる問いかけテキスト（３１０）に対応した車両用の会話のテキストである車両用テキスト（４００）を作成し、作成された前記車両用テキスト（４００）の適合度（４０１）を算出する車両用テキスト作成部（２２０）と、
前記車両用テキスト作成部（２２０）により作成された前記車両用テキスト（４００）とは別の、前記問いかけテキスト（３１０）に対応した汎用的な会話のテキストである汎用テキスト（４１０）を作成する汎用テキスト作成部（２３０）と、
特定の判断基準として、前記車両用テキスト作成部（２２０）で算出された前記車両用テキスト（４００）の適合度（４０１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、
前記テキスト選択部（２４０）により選択された前記車両用テキスト（４００）又は前記汎用テキスト（４１０）を出力するテキスト出力部（２５０）とを備え、
前記テキスト選択部（２４０）による前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する情報処理装置。
【請求項２】
車両の状態を含む車両データ（３００）を取得する状態取得設定部（２００）と、
前記状態取得設定部（２００）により取得された前記車両データ（３００）及びユーザによる問いかけテキスト（３１０）に対応した車両用の会話のテキストである車両用テキスト（４００）を作成する車両用テキスト作成部（２２０）と、
前記車両用テキスト作成部（２２０）により作成された前記車両用テキスト（４００）とは別の、前記問いかけテキスト（３１０）に対応した汎用的な会話のテキストである汎用テキスト（４１０）を作成し、作成された前記汎用テキスト（４１０）の適合度（４１１）を算出する汎用テキスト作成部（２３０）と、
特定の判断基準として、前記汎用テキスト作成部（２３０）で算出された前記汎用テキスト（４１０）の適合度（４１１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、
前記テキスト選択部（２４０）により選択された前記車両用テキスト（４００）又は前記汎用テキスト（４１０）を出力するテキスト出力部（２５０）とを備え、
前記テキスト選択部（２４０）による前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する情報処理装置。
【請求項３】
前記車両用テキスト作成部（２２０）は、取得された前記車両データ（３００）の蓄積、及び／又は前記問いかけテキスト（３１０）の取得に対応して、前記車両用テキスト（４００）の適合度（４０１）の算出を変化させる請求項１又は２に記載の情報処理装置。
【請求項４】
前記テキスト出力部（２５０）は、前記車両用テキスト（４００）又は前記汎用テキスト（４１０）の出力の時刻以外であっても、前記ユーザによる問いかけがあった場合には、前記車両用テキスト（４００）又は前記汎用テキスト（４１０）を出力する請求項３に記載の情報処理装置。
【請求項５】
前記問いかけテキスト（３１０）への応答用データを蓄積する応答データベースを更に備え、
前記車両用テキスト作成部（２２０）及び／又は前記汎用テキスト作成部（２３０）は、前記応答データベースから、前記問いかけテキスト（３１０）の音韻、編集距離、及び／又はアナグラムに対応した前記応答用データを取得して、会話のテキストを作成する請求項１乃至４のいずれか１項に記載の情報処理装置。
【請求項６】
前記テキスト選択部（２４０）は、前記テキスト出力部（２５０）による前記車両用テキスト（４００）又は前記汎用テキスト（４１０）の出力の時刻を設定するスケジューリングを行う請求項１乃至５のいずれか１項に記載の情報処理装置。
【請求項７】
情報処理装置（１）と、前記情報処理装置（１）に接続される端末（３）とを含む情報処理システムであって、
前記情報処理装置は、
車両の状態を含む車両データ（３００）を取得する状態取得設定部（２００）と、
前記端末（３）から、ユーザによる問いかけテキスト（３１０）を取得するテキスト取得部（２１０）と、
前記状態取得設定部（２００）により取得された前記車両データ（３００）及び前記テキスト取得部（２１０）により取得された前記問いかけテキスト（３１０）に対応した車両用の会話のテキストである車両用テキスト（４００）を作成し、作成された前記車両用テキスト（４００）の適合度（４０１）を算出する車両用テキスト作成部（２２０）と、
前記車両用テキスト作成部（２２０）により作成された前記車両用テキスト（４００）とは別の、前記テキスト取得部（２１０）により取得された前記問いかけテキスト（３１０）に対応した汎用的な会話のテキストである汎用テキスト（４１０）を作成する汎用テキスト作成部（２３０）と、
特定の判断基準として、前記車両用テキスト作成部（２２０）で算出された前記車両用テキスト（４００）の適合度（４０１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、
前記テキスト選択部（２４０）により選択された前記車両用テキスト（４００）又は前記汎用テキスト（４１０）を前記端末（３）へ出力するテキスト出力部（２５０）とを備え、
前記端末（３）は、
前記問いかけテキスト（３１０）を前記情報処理装置（１）へ送信するテキスト送信部（２７０）と、
前記情報処理装置（１）から前記車両用テキスト（４００）又は前記汎用テキスト（４１０）を受信するテキスト受信部（２６０）とを備え、
前記テキスト選択部（２４０）による前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する情報処理システム。
【請求項８】
情報処理装置（１）と、前記情報処理装置（１）に接続される端末（３）とを含む情報処理システムであって、
前記情報処理装置は、
車両の状態を含む車両データ（３００）を取得する状態取得設定部（２００）と、
前記端末（３）から、ユーザによる問いかけテキスト（３１０）を取得するテキスト取得部（２１０）と、
前記状態取得設定部（２００）により取得された前記車両データ（３００）及び前記テキスト取得部（２１０）により取得された前記問いかけテキスト（３１０）に対応した車両用の会話のテキストである車両用テキスト（４００）を作成する車両用テキスト作成部（２２０）と、
前記車両用テキスト作成部（２２０）により作成された前記車両用テキスト（４００）とは別の、前記テキスト取得部（２１０）により取得された前記問いかけテキスト（３１０）に対応した汎用的な会話のテキストである汎用テキスト（４１０）を作成し、作成された前記汎用テキスト（４１０）の適合度（４１１）を算出する汎用テキスト作成部（２３０）と、
特定の判断基準として、前記汎用テキスト作成部（２３０）で算出された前記汎用テキスト（４１０）の適合度（４１１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、
前記テキスト選択部（２４０）により選択された前記車両用テキスト（４００）又は前記汎用テキスト（４１０）を前記端末（３）へ出力するテキスト出力部（２５０）とを備え、
前記端末（３）は、
前記問いかけテキスト（３１０）を前記情報処理装置（１）へ送信するテキスト送信部（２７０）と、
前記情報処理装置（１）から前記車両用テキスト（４００）又は前記汎用テキスト（４１０）を受信するテキスト受信部（２６０）とを備え、
前記テキスト選択部（２４０）による前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する情報処理システム。
【請求項９】
情報処理装置（１）により実行される情報処理方法であって、
車両の状態を含む車両データ（３００）を取得し、
取得された前記車両データ（３００）及びユーザによる問いかけテキスト（３１０）に対応した車両用の会話のテキストである車両用テキスト（４００）を作成し、作成された前記車両用テキスト（４００）の適合度（４０１）を算出し、
前記車両用テキスト（４００）とは別の、前記問いかけテキスト（３１０）に対応した汎用的な会話のテキストである汎用テキスト（４１０）を作成し、
特定の判断基準として、算出された前記車両用テキスト（４００）の適合度（４０１）により、作成された前記車両用テキスト（４００）又は作成された前記汎用テキスト（４１０）を選択し、
選択された前記車両用テキスト（４００）又は前記汎用テキスト（４１０）を出力し、
前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する情報処理方法。
【請求項１０】
情報処理装置（１）により実行される情報処理方法であって、
車両の状態を含む車両データ（３００）を取得し、
取得された前記車両データ（３００）及びユーザによる問いかけテキスト（３１０）に対応した車両用の会話のテキストである車両用テキスト（４００）を作成し、
前記車両用テキスト（４００）とは別の、前記問いかけテキスト（３１０）に対応した汎用的な会話のテキストである汎用テキスト（４１０）を作成し、作成された前記汎用テキスト（４１０）の適合度（４１１）を算出し、
特定の判断基準として、算出された前記汎用テキスト（４１０）の適合度（４１１）により、作成された前記車両用テキスト（４００）又は作成された前記汎用テキスト（４１０）を選択し、
選択された前記車両用テキスト（４００）又は前記汎用テキスト（４１０）を出力し、
前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する情報処理方法。
【手続補正２】
【補正対象書類名】明細書
【補正対象項目名】０００８
【補正方法】変更
【補正の内容】
【０００８】
本発明の情報処理装置は、車両の状態を含む車両データ（３００）を取得する状態取得設定部（２００）と、前記状態取得設定部（２００）により取得された前記車両データ（３００）及びユーザによる問いかけテキスト（３１０）に対応した車両用の会話のテキストである車両用テキスト（４００）を作成し、作成された前記車両用テキスト（４００）の適合度（４０１）を算出する車両用テキスト作成部（２２０）と、前記車両用テキスト作成部（２２０）により作成された前記車両用テキスト（４００）とは別の、前記問いかけテキスト（３１０）に対応した汎用的な会話のテキストである汎用テキスト（４１０）を作成する汎用テキスト作成部（２３０）と、特定の判断基準として、前記車両用テキスト作成部（２２０）で算出された前記車両用テキスト（４００）の適合度（４０１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、前記テキスト選択部（２４０）により選択された前記車両用テキスト（４００）又は前記汎用テキスト（４１０）を出力するテキスト出力部（２５０）とを備え、前記テキスト選択部（２４０）による前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する。
本発明の情報処理装置は、車両の状態を含む車両データ（３００）を取得する状態取得設定部（２００）と、前記状態取得設定部（２００）により取得された前記車両データ（３００）及びユーザによる問いかけテキスト（３１０）に対応した車両用の会話のテキストである車両用テキスト（４００）を作成する車両用テキスト作成部（２２０）と、前記車両用テキスト作成部（２２０）により作成された前記車両用テキスト（４００）とは別の、前記問いかけテキスト（３１０）に対応した汎用的な会話のテキストである汎用テキスト（４１０）を作成し、作成された前記汎用テキスト（４１０）の適合度（４１１）を算出する汎用テキスト作成部（２３０）と、特定の判断基準として、前記汎用テキスト作成部（２３０）で算出された前記汎用テキスト（４１０）の適合度（４１１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、前記テキスト選択部（２４０）により選択された前記車両用テキスト（４００）又は前記汎用テキスト（４１０）を出力するテキスト出力部（２５０）とを備え、前記テキスト選択部（２４０）による前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する。
本発明の情報処理システムは、情報処理装置（１）と、前記情報処理装置（１）に接続される端末（３）とを含む情報処理システムであって、前記情報処理装置は、車両の状態を含む車両データ（３００）を取得する状態取得設定部（２００）と、前記端末（３）から、ユーザによる問いかけテキスト（３１０）を取得するテキスト取得部（２１０）と、前記状態取得設定部（２００）により取得された前記車両データ（３００）及び前記テキスト取得部（２１０）により取得された前記問いかけテキスト（３１０）に対応した車両用の会話のテキストである車両用テキスト（４００）を作成し、作成された前記車両用テキスト（４００）の適合度（４０１）を算出する車両用テキスト作成部（２２０）と、前記車両用テキスト作成部（２２０）により作成された前記車両用テキスト（４００）とは別の、前記テキスト取得部（２１０）により取得された前記問いかけテキスト（３１０）に対応した汎用的な会話のテキストである汎用テキスト（４１０）を作成する汎用テキスト作成部（２３０）と、特定の判断基準として、前記車両用テキスト作成部（２２０）で算出された前記車両用テキスト（４００）の適合度（４０１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、前記テキスト選択部（２４０）により選択された前記車両用テキスト（４００）又は前記汎用テキスト（４１０）を前記端末（３）へ出力するテキスト出力部（２５０）とを備え、前記端末（３）は、前記問いかけテキスト（３１０）を前記情報処理装置（１）へ送信するテキスト送信部（２７０）と、前記情報処理装置（１）から前記車両用テキスト（４００）又は前記汎用テキスト（４１０）を受信するテキスト受信部（２６０）とを備え、前記テキスト選択部（２４０）による前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する。
本発明の情報処理システムは、情報処理装置（１）と、前記情報処理装置（１）に接続される端末（３）とを含む情報処理システムであって、前記情報処理装置は、車両の状態を含む車両データ（３００）を取得する状態取得設定部（２００）と、前記端末（３）から、ユーザによる問いかけテキスト（３１０）を取得するテキスト取得部（２１０）と、
前記状態取得設定部（２００）により取得された前記車両データ（３００）及び前記テキスト取得部（２１０）により取得された前記問いかけテキスト（３１０）に対応した車両用の会話のテキストである車両用テキスト（４００）を作成する車両用テキスト作成部（２２０）と、前記車両用テキスト作成部（２２０）により作成された前記車両用テキスト（４００）とは別の、前記テキスト取得部（２１０）により取得された前記問いかけテキスト（３１０）に対応した汎用的な会話のテキストである汎用テキスト（４１０）を作成し、作成された前記汎用テキスト（４１０）の適合度（４１１）を算出する汎用テキスト作成部（２３０）と、特定の判断基準として、前記汎用テキスト作成部（２３０）で算出された前記汎用テキスト（４１０）の適合度（４１１）により、前記車両用テキスト作成部（２２０）で作成された前記車両用テキスト（４００）又は前記汎用テキスト作成部（２３０）で作成された前記汎用テキスト（４１０）を選択するテキスト選択部（２４０）と、前記テキスト選択部（２４０）により選択された前記車両用テキスト（４００）又は前記汎用テキスト（４１０）を前記端末（３）へ出力するテキスト出力部（２５０）とを備え、前記端末（３）は、前記問いかけテキスト（３１０）を前記情報処理装置（１）へ送信するテキスト送信部（２７０）と、前記情報処理装置（１）から前記車両用テキスト（４００）又は前記汎用テキスト（４１０）を受信するテキスト受信部（２６０）とを備え、前記テキスト選択部（２４０）による前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する。
本発明の情報処理方法は、情報処理装置（１）により実行される情報処理方法であって、車両の状態を含む車両データ（３００）を取得し、取得された前記車両データ（３００）及びユーザによる問いかけテキスト（３１０）に対応した車両用の会話のテキストである車両用テキスト（４００）を作成し、作成された前記車両用テキスト（４００）の適合度（４０１）を算出し、前記車両用テキスト（４００）とは別の、前記問いかけテキスト（３１０）に対応した汎用的な会話のテキストである汎用テキスト（４１０）を作成し、
特定の判断基準として、算出された前記車両用テキスト（４００）の適合度（４０１）により、作成された前記車両用テキスト（４００）又は作成された前記汎用テキスト（４１０）を選択し、選択された前記車両用テキスト（４００）又は前記汎用テキスト（４１０）を出力し、前記車両用テキスト（４００）又は前記汎用テキスト（４１０）の選択では、前記車両用テキスト（４００）の適合度（４０１）が閾値よりも高い場合に前記車両用テキスト（４００）を選択する一方、それ以外の場合に前記汎用テキスト（４１０）を選択する。
本発明の情報処理方法は、情報処理装置（１）により実行される情報処理方法であって、車両の状態を含む車両データ（３００）を取得し、取得された前記車両データ（３００）及びユーザによる問いかけテキスト（３１０）に対応した車両用の会話のテキストである車両用テキスト（４００）を作成し、前記車両用テキスト（４００）とは別の、前記問いかけテキスト（３１０）に対応した汎用的な会話のテキストである汎用テキスト（４１０）を作成し、作成された前記汎用テキスト（４１０）の適合度（４１１）を算出し、特定の判断基準として、算出された前記汎用テキスト（４１０）の適合度（４１１）により、作成された前記車両用テキスト（４００）又は作成された前記汎用テキスト（４１０）を選択し、選択された前記車両用テキスト（４００）又は前記汎用テキスト（４１０）を出力し、前記車両用テキスト（４００）又は前記汎用テキスト（４１０）の選択では、前記汎用テキスト（４１０）の適合度（４１１）が閾値よりも高い場合に前記汎用テキスト（４１０）を選択する一方、それ以外の場合に前記車両用テキスト（４００）を選択する。